(57)【特許請求の範囲】
【請求項１】
建設機械に備えられ、所定のパスワードに応じてエンジンの稼働を可能にさせる制御をおこない、上記所定のパスワードと異なるパスワードのときにはエンジンの稼働を不能に保つことにより当該建設機械の盗難を防止する建設機械の盗難防止装置において、
上記建設機械から離隔した位置に配置され、上記所定のパスワードを記憶する管理装置と、
この管理装置と第１通信手段を介し接続可能に設けられ、上記管理装置から出力される上記所定のパスワードを記憶する携帯型通信機と、
上記建設機械に設けられるとともに、上記携帯型通信機と第２通信手段を介し接続可能に設けられ、上記管理装置に記憶された上記所定のパスワードと同一のパスワードを予め記憶するとともに、上記携帯型通信機から出力された上記所定のパスワードと、上記予め記憶したパスワードとが一致するかどうか判断し、一致したときにエンジン駆動信号を出力する車体コントローラとを含み、
エンジン始動指示手段を備えるとともに、
上記管理装置が、
上記携帯型通信機から上記第１通信手段を介して出力される通信信号を入力する入力部と、
上記所定のパスワードを記憶するデータベースと、
上記入力部から入力された通信信号に応じて上記データベースに記憶された上記所定のパスワードを選定する演算部と、
この演算部で選定された上記所定のパスワードを上記第１通信手段を介して上記携帯型通信機に出力する出力部とを備え、
上記携帯型通信機が、
上記建設機械のオペレータが所有するものであるとともに、
上記管理装置に上記第１通信手段を介して上記通信信号を出力する第１出力部と、
上記管理装置から出力された上記所定のパスワードを上記第１通信手段を介して入力する第１入力部と、
この第１入力部から入力された上記所定のパスワードを記憶するメモリと、
上記所定のパスワードを上記第２通信手段を介して上記車体コントローラに出力する第２出力部とを備え、
上記車体コントローラが、
上記管理装置の上記データベースで記憶される上記所定のパスワードと同一のパスワードを予め記憶するメモリと、
上記携帯型通信機の上記第２出力部から出力された上記所定のパスワードを上記第２通信手段を介して入力する入力部と、
上記携帯型通信機の第２出力部から出力された上記所定のパスワードが当該車体コントローラのメモリに予め記憶されたパスワードに一致するかどうか判断し、一致したときにエンジン駆動許可信号を出力する処理をおこなう演算部と、
この演算部から出力されたエンジン駆動許可信号に応じてエンジン駆動信号を出力するエンジン始動制御部とを備えたことを特徴とする建設機械の盗難防止装置。
【請求項２】
上記携帯型通信機が、
上記車体コントローラから出力された所定の要求信号を上記第２通信手段を介して入力する第２入力部と、上記車体コントローラから出力された上記要求信号に応じて当該携帯型通信機の上記メモリに記憶された上記所定のパスワードを読み出す処理をおこなう演算部とをさらに備え、
上記車体コントローラが、
上記携帯型通信機の上記第２入力部に上記第２通信手段を介して上記要求信号を出力する出力部をさらに備えるとともに、
上記車体コントローラに備えられた演算部が、上記エンジン始動指示手段から出力される信号に応じて上記要求信号を出力させるための処理をおこなうことを特徴とする請求項１記載の建設機械の盗難防止装置。
【請求項３】
上記エンジン始動指示手段が、エンジンキーが挿入されたことを検出するキースイッチであることを特徴とする請求項２記載の建設機械の盗難防止装置。
【請求項４】
上記携帯型通信機が携帯電話であるとともに、
上記管理装置が上記携帯電話の電話番号と、上記所定のパスワードとを関連させて記憶するデータベースを備えたことを特徴とする請求項１〜３のいずれかに記載の建設機械の盗難防止装置。
【請求項５】
上記所定のパスワードが、有効期限の決められた期限付パスワードであり、
上記車体コントローラが時計を備え、
当該車体コントローラの上記演算部が、上記時計の示す日時に基づいて上記期限付パスワードが有効か無効か判断し、無効と判断したときにエンジンの始動阻止の処理をおこなうものであることを特徴とする請求項４記載の建設機械の盗難防止装置。
【請求項６】
上記管理装置が、
上記携帯電話の電話番号と、この携帯電話の所有者の作業スケジュールと、上記所定のパスワードとを関連させて記憶するデータベースを備え、
当該管理装置の入力部から入力された通話信号に基づいて認識された上記携帯電話の電話番号に応じて、当該管理装置の上記データベースに記憶された該当する電話番号に係る所有者の作業スケジュールを読出し、この作業スケジュールに相当する期間を有効期限とする期限付パスワードを設定する演算部を備えたことを特徴とする請求項５記載の建設機械の盗難防止装置。
【請求項７】
上記管理装置が、
上記携帯電話の電話番号と、この携帯電話の所有者の作業スケジュールと、上記建設機械の稼働スケジュールと、上記所定のパスワードとを関連させて記憶するデータベースを備え、
当該管理装置の入力部から入力された通話信号に基づいて認識された上記携帯電話の電話番号に応じて、当該管理装置の上記データベースに記憶された該当する電話番号に係る所有者の作業スケジュールと、上記建設機械の稼働スケジュールとを読出し、上記所有者の作業スケジュールと上記建設機械の稼働スケジュールの双方に基づいて有効期限を決定し、その有効期限に相応する期限付パスワードを設定する演算部を備えたことを特徴とする請求項５記載の建設機械の盗難防止装置。
【請求項８】
上記携帯型通信機を複数備え、
上記管理装置が、複数の所定のパスワードを記憶するものであることを特徴とする請求項１〜７のいずれかに記載の建設機械の盗難防止装置。
【請求項９】
上記第１通信手段が、公衆回線であることを特徴とする請求項１〜８のいずれかに記載の建設機械の盗難防止装置。
【発明の詳細な説明】
【０００１】
【発明の属する技術分野】
本発明は、油圧ショベル等の建設機械に備えられ、所定のパスワードと異なるパスワードのときにはエンジンの稼動を不能に保つことにより当該建設機械の盗難を防止する建設機械の盗難防止装置に関する。
【０００２】
【従来の技術】
昨今、油圧ショベル等の建設機械の盗難が頻発している。このような状況から、建設機械では、さまざまな盗難防止装置が提案されている。
【０００３】
例えば、特許第２６４２４５５号公報に記載の技術では、キー入力装置によって予め定められたパスワードの順番で押されたときにのみエンジン始動系の始動阻止手段の作動を解除し、建設機械の稼働を可能とし、これによってパスワードを知らない第三者による運転を不能にし、当該建設機械の盗難を防止する構成になっている。
【０００４】
また、特開平１０−４４９３８号公報には、パスワードを特殊な磁気棒によって任意に設定、消去できる盗難防止装置が提案されている。
【０００５】
【発明が解決しようとする課題】
一般に、油圧ショベル等の建設機械では、当該建設機械を操作する正規のオペレータとは異なる第三者が、当該建設機械を操作せざるを得ない状況がしばしば起こり得る。例えば、建設機械が離れた作業現場間を移動するようなときには、当該建設機械をトレーラ等で搬送することがおこなわれているが、このような場合には、トレーラからの建設機械の積み下ろし作業を、オペレータとは異なる配送業者とか、整備作業者などの取扱い作業者がおこなうことがある。
【０００６】
このようにオペレータとは異なる第三者が、前述した各公報で示されるような盗難防止装置を備えた建設機械を稼働させる場合には、その都度、オペレータはパスワードを該当する取扱い作業者に教える必要がある。しかし、パスワードをオペレータ以外の第三者に教えることは、パスワードの漏洩につながり、セキュリティ上大きな問題である。
【０００７】
なお、上述した公報のうちの後者に示される従来技術では、磁気棒の挿入により新たなパスワードの設定が可能であることから、オペレータ以外の取扱い作業者に教えたパスワードを、磁気棒を介してその後に変更することができる。したがって、このように変更すればパスワードの漏洩を防ぐことができる。しかしながら、頻繁にパスワードを変更することは、オペレータにとって煩わしく、また自身の混乱を招くことになり、好ましいこととは言えない。
【０００８】
上述した各公報に示される従来技術における問題点は、基本的にパスワードの入力操作を、当該建設機械のオペレータや取り扱い作業者等の現場関係者がおこなっていることに起因する。
【０００９】
本発明は、上述した従来技術における実状からなされたもので、その目的は、建設機械のオペレータや取扱い作業者等の現場関係者によらずに、当該建設機械の駆動を可能にするパスワードの入力処理を実現させることができる建設機械の盗難防止装置を提供することにある。
【００１０】
【課題を解決するための手段】
上記目的を達成するために、本願の請求項１に係る発明は、建設機械に備えられ、所定のパスワードに応じてエンジンの稼働を可能にさせる制御をおこない、上記所定のパスワードと異なるパスワードのときにはエンジンの稼働を不能に保つことにより当該建設機械の盗難を防止する建設機械の盗難防止装置において、上記建設機械から離隔した位置に配置され、上記所定のパスワードを記憶する管理装置と、この管理装置と第１通信手段を介し接続可能に設けられ、上記管理装置から出力される上記所定のパスワードを記憶する携帯型通信機と、上記建設機械に設けられるとともに、上記携帯型通信機と第２通信手段を介し接続可能に設けられ、上記管理装置に記憶された上記所定のパスワードと同一のパスワードを予め記憶するとともに、上記携帯型通信機から出力された上記所定のパスワードと、上記予め記憶したパスワードとが一致するかどうか判断し、一致したときにエンジン駆動信号を出力する車体コントローラとを含み、エンジン始動指示手段を備えるとともに、上記管理装置が、上記携帯型通信機から上記第１通信手段を介して出力される通信信号を入力する入力部と、上記所定のパスワードを記憶するデータベースと、上記入力部から入力された通信信号に応じて上記データベースに記憶された上記所定のパスワードを選定する演算部と、この演算部で選定された上記所定のパスワードを上記第１通信手段を介して上記携帯型通信機に出力する出力部とを備え、上記携帯型通信機が、上記建設機械のオペレータが所有するものであるとともに、上記管理装置に上記第１通信手段を介して上記通信信号を出力する第１出力部と、上記管理装置から出力された上記所定のパスワードを上記第１通信手段を介して入力する第１入力部と、この第１入力部から入力された上記所定のパスワードを記憶するメモリと、上記所定のパスワードを上記第２通信手段を介して上記車体コントローラに出力する第２出力部とを備え、上記車体コントローラが、上記管理装置の上記データベースで記憶される上記所定のパスワードと同一のパスワードを予め記憶するメモリと、上記携帯型通信機の上記第２出力部から出力された上記所定のパスワードを上記第２通信手段を介して入力する入力部と、上記携帯型通信機の第２出力部から出力された上記所定のパスワードが当該車体コントローラのメモリに予め記憶されたパスワードに一致するかどうか判断し、一致したときにエンジン駆動許可信号を出力する処理をおこなう演算部と、この演算部から出力されたエンジン駆動許可信号に応じてエンジン駆動信号を出力するエンジン始動制御部とを備えた構成にしてある。
【００１６】
このように構成した請求項１に係る発明では、建設機械のオペレータが所有する携帯型通信機の第１出力部から通信信号を第１通信手段を介して出力すると、この通信信号が管理装置の入力部を介して演算部に入力される。この管理装置の演算部では、入力された通信信号に基づいてデータベースに記憶されている所定のパスワードを読み出す処理をおこなう。この所定のパスワードが当該演算部からこの管理装置の出力部に送られ、その出力部から第１通信手段を介して送信される。この送信された所定のパスワードが、携帯型通信機の第１入力部から当該演算部に入力され、メモリに記憶される。
【００１７】
オペレータ、取扱い作業者等の現場関係者が建設機械を稼働させるときには、第２通信手段を介して携帯型通信機を建設機械の車体コントローラに接続し、エンジン始動指示手段を操作すればよい。携帯型通信機が第２通信手段を介し車体コントローラに接続されると、その第２出力部に送出し、さらに第２通信手段を介して車体コントローラの入力部に送信される。その所定のパスワードが当該入力部から車体コントローラの演算部に入力される。この演算部では、送信されてきた所定のパスワードと、予め自身のメモリで記憶しているパスワードとを比較し、一致している場合には、エンジンの駆動許可信号が演算部からエンジン始動制御部に出力される。これにより、エンジン始動制御部からエンジン駆動信号が出力され、エンジンが駆動し、当該建設機械による作業が可能となる。また、上述したパスワードの比較で、一致しない場合には、演算部からエンジンの駆動許可信号は出力されない。したがって、エンジン始動制御部からエンジン駆動信号が出力されず、エンジンの稼働が不能に保たれ、建設機械の駆動は阻止される。したがって、この建設機械を走行させることができず、パスワードを利用した建設機械の盗難を防止できる。
【００１８】
このように、携帯型通信機と管理装置間の送信操作の後、携帯型通信機を車体コントローラに接続した状態でエンジン始動指示手段を操作することにより、オペレータや取り扱い作業者等の現場関係者によらずに、建設機械の駆動を可能にするパスワードの自動的、かつ遠隔操作的な入力処理を実現できる。
【００１９】
また、本願請求項２に係る発明は、請求項１に係る発明において、上記携帯型通信機が、上記車体コントローラから出力された所定の要求信号を上記第２通信手段を介して入力する第２入力部と、上記車体コントローラから出力された上記要求信号に応じて当該携帯型通信機の上記メモリに記憶された上記所定のパスワードを読み出す処理をおこなう演算部とをさらに備え、上記車体コントローラが、上記携帯型通信機の上記第２入力部に上記第２通信手段を介して上記要求信号を出力する出力部をさらに備えるとともに、上記車体コントローラに備えられた演算部が、上記エンジン始動指示手段から出力される信号に応じて上記要求信号を出力させるための処理をおこなう構成にしてある。
【００２０】
また、本願請求項３に係る発明は、請求項２に係る発明において、上記エンジン始動指示手段が、エンジンキーが挿入されたことを検出するキースイッチから成る構成にしてある。
【００２１】
このように構成した請求項３に係る発明では、携帯型通信機を車体コントローラに接続した状態で、エンジンキーが挿入されると、キースイッチから出力される指示信号が車体コントローラの演算部に入力され、この演算部では、キースイッチから出力される指示信号に応じて要求信号を作製し、この要求信号を携帯型通信機に出力させる処理をおこなう。
【００２２】
また、本願請求項４に係る発明は、請求項１〜３のいずれかに係る発明において、上記携帯型通信機が携帯電話であるとともに、上記管理装置が上記携帯電話の電話番号と、上記所定のパスワードとを関連させて記憶するデータベースを備えた構成にしてある。
【００２３】
このように構成した請求項４に係る発明では、携帯電話から管理装置に電話をかけると、管理装置の演算部では携帯電話の電話番号を認識し、データベースから当該電話番号に相応する所定のパスワードを読み出す処理をおこなう。そして、管理装置から該当する電話番号に電話がかけられ、該当する携帯電話に読み出された所定のパスワードが送信され、その携帯電話のメモリに記憶される。
【００２４】
また、本願請求項５に係る発明は、請求項４に係る発明において、上記所定のパスワードが、有効期限の決められた期限付パスワードであり、上記車体コントローラが時計を備え、当該車体コントローラの演算部が、上記時計の示す日時に基づいて上記期限付パスワードが有効か無効か判断し、無効と判断したときにエンジンの始動阻止の処理をおこなうものから成る構成にしてある。
【００２５】
このように構成してある請求項５に係る発明では、管理装置の演算部で携帯電話の電話番号を認識した際、データベースから電話番号に相応する期限付パスワードを読み出す処理がなされる。この読み出された期限付パスワードが、携帯電話に送信され、そのメモリに記憶される。
【００２６】
この携帯電話が車体コントローラに接続され、エンジン始動指示手段が操作されると、携帯電話のメモリに記憶されていた期限付きパスワードが車体コントローラに送信される。この車体コントローラの演算部では、例えば、送信されてきた期限付パスワードのパスワードと、この車体コントローラのメモリに記憶されているパスワードとを比較し、一致したときにはさらに、送信されてきた期限付パスワードの期限が、時計が示す日時を含むものかどうか確認し、その日時を含むものであれば有効と判断し、エンジン始動許可信号をエンジン始動制御部に出力する。送信された期限付パスワードのパスワードと、車体コントローラのメモリに記憶されているパスワードとが一致しない場合、あるいは、送信されてきた期限付パスワードの期限が、時計が示す日時を含んでおらず無効と判断された場合には、エンジン駆動許可信号は出力しない処理がなされる。
【００２７】
また、本願請求項６に係る発明は、請求項５に係る発明において、上記管理装置が、上記携帯電話の電話番号と、この携帯電話の所有者の作業スケジュールと、上記所定のパスワードとを関連させて記憶するデータベースを備え、当該管理装置の入力部から入力された通話信号に基づいて認識された上記携帯電話の電話番号に応じて、当該管理装置の上記データベースに記憶された該当する電話番号に係る所有者の作業スケジュールを読出し、この作業スケジュールに相当する期間を有効期限とする期限付パスワードを設定する演算部を備えた構成にしてある。
【００２８】
このように構成してある請求項６に係る発明では、管理装置の演算部で携帯電話の電話番号を認識した際、データベースから電話番号に相応する所定のパスワードと、携帯電話の所有者の作業スケジュールとを読み出す処理がなされ、作業スケジュールに相当する期間を有効期限とする期限付パスワードが設定される。このように設定された期限付パスワードが携帯電話に送信され、そのメモリに記憶される。
【００２９】
また、本願請求項７に係る発明は、請求項５に係る発明において、上記管理装置が、上記携帯電話の電話番号と、この携帯電話の所有者の作業スケジュールと、上記建設機械の稼働スケジュールと、上記所定のパスワードとを関連させて記憶するデータベースを備え、当該管理装置の入力部から入力された通話信号に基づいて認識された上記携帯電話の電話番号に応じて、当該管理装置の上記データベースに記憶された該当する電話番号に係る所有者の作業スケジュールと、上記建設機械の稼働スケジュールとを読出し、上記所有者の作業スケジュールと上記建設機械の稼働スケジュールの双方に基づいて有効期限を決定し、その有効期限に相応する期限付パスワードを設定する演算部を備えた構成にしてある。
【００３０】
このように構成してある請求項７に係る発明では、管理装置の演算部で携帯電話の電話番号を認識した際、電話番号に相応する所定のパスワードと、携帯電話の所有者の作業スケジュールと、建設機械の稼働スケジュールとを読み出す処理がなされ、所有者の作業スケジュールと建設機械の稼働スケジュールの双方に基づいて有効期限を決定する処理がなされる。この場合、例えば作業スケジュールと稼働スケジュールとが重なる期間を有効期限とする期限付パスワードが設定される。このように設定された期限付パスワードが携帯電話に送信され、そのメモリに記憶される。
【００３１】
また、本願請求項８に係る発明は、請求項１〜７のいずれかに係る発明において、上記携帯型通信機を複数備え、上記管理装置が、複数の所定のパスワードを記憶するものから成る構成にしてある。
【００３２】
このように構成してある請求項８に係る発明では、管理装置に記憶される複数の所定のパスワードのうち、管理装置に接続された携帯型通信機に相応する所定のパスワードが選定されて携帯型通信機に送信される。この操作は携帯型通信機ごとにおこなわれる。
【００３３】
携帯型通信機のそれぞれを個別に建設機械に接続することにより、該当する携帯型通信機の接続ごとに当該建設機械を稼働させることができる。
【００３４】
また、本願請求項９に係る発明は、請求項１〜８のいずれかに係る発明において、第１通信手段が公衆回線から成ることを特徴としている。
【００３５】
【発明の実施の形態】
以下，本発明の建設機械の盗難防止装置の実施形態を図に基づいて説明する。
【００３６】
図１は本発明の建設機械の盗難防止装置の一実施形態の構成を示すブロック図である。
【００３７】
図１に示すように、本実施形態の基本構成は、建設機械例えば油圧ショベルの本体１から離隔した位置に配置され、所定のパスワード等を記憶する管理装置３と、この管理装置３と第１通信手段、例えば公衆回線４で接続され、管理装置３から出力される所定のパスワードを記憶する携帯型通信機、例えば携帯電話２と、建設機械の本体１に設けられるとともに、携帯電話２と第２通信手段、例えば通信ケーブル５で接続され、管理装置３に記憶された所定のパスワードと同一のパスワードを予め記憶するとともに、携帯電話２から出力された所定のパスワードと、前述の自身が予め記憶したパスワードとが一致するかどうか判断し、一致したときにはエンジン駆動信号を出力する車体コントローラ１ａとから成っている。
【００３８】
上述した管理装置３は、入出力部を構成するモデムインタフェース３ａを備えている。また例えば、所定のパスワードを記憶するとともに、この所定のパスワードに関連させて携帯電話２の電話番号と、この携帯電話２の所有者、例えば当該建設機械のオペレータの作業スケジュールとを記憶するデータベース３ｃを備えている。さらに、モデムインタフェース３ａから入力された通信信号すなわち通話信号から電話番号を認識し、その電話番号に応じてデータベース３ｃに記憶された所定のパスワードを選定するとともに、当該携帯電話２を所有するオペレータの作業スケジュールを確認して、作業スケジュールに相当する期間を有効期限とする期限付パスワードとする処理をおこなう演算部すなわちＣＰＵ３ｂを備えている。上述したモデムインタフェース３ａは、携帯電話２から公衆回線４を介して出力される通話信号を入力する入力部と、ＣＰＵ３ｂで選定され、期限付の処理がなされた期限付パスワードを公衆回線４を介して携帯電話２に自動発信する出力部とを兼ねている。
【００３９】
上述した携帯電話２は、公衆回線４に接続される回線接続部２ａと、この回線接続部２ａから入力された期限付パスワードを記憶するメモリ２ｃと、管理装置３の電話番号を入力する入力操作部２ｅと、車体コントローラ１ａから出力された後述の要求信号に応じてメモリ２ｃに記憶された期限付パスワードを読み出す処理をおこなう演算部すなわちＣＰＵ２ｂと、通信ケーブル５に接続されるシリアル通信インタフェース２ｄとを備えている。
【００４０】
上述した回線接続部２ａは、管理装置３に公衆回線４を介して前述した通話信号を出力する第１出力部と、管理装置３から出力された期限付パスワードを含む通話信号を公衆回線４を介して入力する第１入力部を兼ねている。
【００４１】
上述したシリアル通信インタフェース２ｄは、車体コントローラ１ａから出力された要求信号を通信ケーブル５を介して入力する第２入力部と、ＣＰＵ２ｂで読み出された期限付パスワードを通信ケーブル５を介して車体コントローラ１ａに出力する第２出力部とを兼ねている。
【００４２】
建設機械の本体１には、上述した車体コントローラ１ａの他に、エンジン１ｉと、このエンジン１ｉの始動を指示するエンジン始動指示手段、例えばエンジンキーが挿入されたことを検出してＯＮとなり、指示信号を車体コントローラ１ａに出力するキースイッチ１ｈとを設けてある。
【００４３】
車体コントローラ１ａは、前述したデータベース３ｃで記憶されるパスワードと同一のパスワードを予め記憶するメモリ１ｆと、通信ケーブル５に接続されるシリアル通信インタフェース１ｃと、キースイッチ１ｈから出力される指示信号を入力するキー入力インタフェース１ｂと、時計１ｅと、キースイッチ１ｈから出力される指示信号に応じて要求信号を出力させるための処理をおこなうとともに、携帯電話２のシリアル通信インタフェース２ｄから出力された期限付パスワードがメモリ１ｆに記憶されているパスワードと一致するかどうか判断し、また、シリアル通信インタフェース２ｄから出力された期限付パスワードの期限が、時計１ｅが示す日時を含んでいる有効なものかどうか判断し、この２つの判断が満足されたときに、エンジン駆動許可信号を出力する処理をおこなう演算部すなわちＣＰＵ１ｄと、このＣＰＵ１ｄから出力されたエンジン駆動許可信号に応じてエンジン駆動信号を出力するエンジン始動制御部１ｇとを備えている。
【００４４】
上述した通信ケーブル５は、建設機械の本体１に設けたコネクタ１ｊと携帯電話２に設けたコネクタ２ｆとに着脱自在になっている。すなわち、携帯電話２は、当該建設機械の非稼働時には、例えばオペレータに所持されることにより建設機械から離れた位置に保持され、当該建設機械を稼働させようとするときに、当該建設機械の本体１に接続されるようになっている。
【００４５】
このように構成した本実施形態で実施される処理操作は以下のとおりである。
【００４６】
図２は本実施形態に備えられる管理装置における処理手順を示すフローチャート、図３は本実施形態に備えられる車体コントローラにおける処理手順を示すフローチャートである。
【００４７】
管理装置３のデータベース３ｃには、予め建設機械のオペレータが所有する携帯電話２の電話番号と、当該オペレータの作業スケジュールと、所定のパスワードとが関連して記憶される。また、車体コントローラ１ａのメモリ１ｆには、管理装置３のデータベース３ｃで記憶された所定のパスワードと同一のパスワードが予め記憶される。
【００４８】
このように処理されている状態において、オペレータの所有する携帯電話２の入力操作部２ｅを操作して管理装置３の電話番号を入力すると、そのＣＰＵ２ｂで通話信号が作製され、その通話信号が回線接続部２ａから公衆回線４に出力される。この公衆回線４を経て管理装置３のモデムインタフェース３ａに入力された通話信号は、そのＣＰＵ３ｂに送られる。
【００４９】
図２の手順Ｓ１０に示されるように、管理装置３のＣＰＵ３ｂで上述の通話信号に基づいて携帯電話２の電話番号が認識される。すなわち、オペレータの特定がおこなわれる。
【００５０】
次に手順Ｓ１１に示すように、データベース３ｃの記憶内容を参照して、手順Ｓ１０で認識された電話番号が、データベース３ｃに記憶されているかどうか、すなわち正規オペレータの電話番号かどうか判断される。
【００５１】
正規オペレータの電話番号でない場合、すなわちデータベース３ｃに記憶されていない場合には、以降は何の処理もなされない。正規オペレータの電話番号と判断された場合には、手順Ｓ１２に移り、その電話番号に関連して記憶されているパスワードと、そのオペレータの作業スケジュールとがＣＰＵ３ｂに読み出される。
【００５２】
次に手順Ｓ１３に移り、ＣＰＵ３ｂでオペレータの作業スケジュールに相当する期間を有効期限とする期限付パスワードを設定する処理がなされる。次に手順Ｓ１４に移り、上述のように設定された期限付パスワードがＣＰＵ３ｂからモデムインタフェース３ａに送られる。このモデムインタフェース３ａから前述の認識された電話番号に自動的に電話がかけられ、上述の期限付パスワードが公衆回線４に出力される。上述の期限付パスワードは、携帯電話２の回線接続部２ａから入力され、そのＣＰＵ２ｂに送られ、ＣＰＵ２ｂの処理によりメモリ２ｃに記憶される。
【００５３】
なお、上述のようにして携帯電話２のメモリ２ｃに期限付パスワードを記憶させる処理は、当該建設機械の稼働直前におこなってもよく、あるいは稼働予定日の数日以上前におこなってもよい。また、建設機械が置かれている場所での携帯電話２、管理装置３間の通話が不能となる場合、あるいは不能となることが予測される場合などには、上述した携帯電話２のメモリ２ｃに期限付パスワードを記憶させる処理を、建設機械から離れた当該携帯電話２と管理装置３との通話が可能となる場所でおこなえばよい。
【００５４】
オペレータ、あるいは取扱い作業者等の現場関係者が、建設機械による所定の作業を実施するときには、あるいは搬送等のために移動させるときなどには、通信ケーブル５を携帯電話２のコネクタ２ｆと建設機械の本体１のコネクタ１ｊとに連結することにより、携帯電話２を建設機械の本体１に接続する。この状態において、エンジンキーを挿入すればよい。
【００５５】
これにより、図３の手順Ｓ２０に示すように、キースイッチ１ｈがＯＮとなり、指示信号が車体コントローラ１ａのキー入力インタフェース１ｂに入力され、さらにＣＰＵ１ｄに送られる。
【００５６】
次に手順Ｓ２１に示すように、キースイッチ１ｈから出力される指示信号に応じて、ＣＰＵ１ｄはパスワードデータを要求する要求信号を作製する。この要求信号がＣＰＵ１ｄからシリアル通信インタフェース１ｃに送られ、このシリアル通信インタフェース１ｃから出力される。
【００５７】
上述の要求信号が通信ケーブル５を介して携帯電話２のシリアル通信インタフェース２ｄに入力され、そのＣＰＵ２ｂに送られる。ＣＰＵ２ｂは入力した要求信号に基づいてメモリ２ｃに記憶されていた期限付パスワードを読み出す処理をおこなう。この期限付パスワードがＣＰＵ２ｂからシリアル通信インタフェース２ｄに送られ、このシリアル通信インタフェース２ｄから出力される。この期限付パスワードが通信ケーブル５を介して車体コントローラ１ａのシリアル通信インタフェース１ｃに入力される。この入力された期限付パスワードが図３の手順Ｓ２２に示すように、そのＣＰＵ１ｄに送られる。
【００５８】
次に手順Ｓ２３に示すように、この車体コントローラ１ａのＣＰＵ１ｄは、入力された期限付パスワードのパスワードがメモリ１ｆに予め記憶されているパスワードと一致するかどうか判断する。一致しないと判断されたときには、ＣＰＵ１ｄからエンジン駆動許可信号は出力されない。一致すると判断されたときには、手順Ｓ２４に移る。
【００５９】
この手順Ｓ２４では、ＣＰＵ１ｄは、入力された期限付パスワードの期限が、時計１ｅが示す現実の日時を含んでいる有効なものかどうか判断する。期限付パスワードの期限が現実の日時に含まれておらず無効と判断されたときには、ＣＰＵ１ｄからエンジン駆動許可信号は出力されない。有効と判断されたときには、手順Ｓ２５に移る。
【００６０】
この手順Ｓ２５では、ＣＰＵ１ｄからエンジン始動制御部１ｇにエンジン駆動許可信号が出力される。これに応じて、エンジン始動制御部１ｇからエンジン駆動信号が出力され、エンジン１ｉが駆動し、当該建設機械による作業が可能となる。
【００６１】
このように構成した本実施形態では、車体コントローラ１ａに入力された期限付パスワードのパスワードがメモリ１ｆに記憶されているパスワードに一致しない場合、あるいは期限付パスワードの期限が有効期限内にない場合には、上述のように、エンジン駆動許可信号が出力されず、したがって、エンジン始動制御部１ｇからエンジン駆動信号が出力されず、エンジン１ｉの稼働が不能に保たれ、建設機械の駆動は阻止される。したがって、この建設機械を走行させることができず、パスワードを利用した当該建設機械の盗難を防止できる。
【００６２】
また、携帯電話２と管理装置３との間の通話操作の後、携帯電話２を車体コントローラ１ａに接続した状態でエンジンキーを挿入することにより、オペレータや取扱い作業者等の現場関係者によらずに、当該建設機械の駆動を可能にするパスワードの自動的、かつ遠隔操作的な車体コントローラ１ａへの入力処理を実現でき、オペレータ等の手を煩わせたり、混乱を生じさせる事態を招くことがなくて利便性に富むとともに、パスワードの漏洩を防ぐことができて高いセキュリティを確保できる。
【００６３】
また、本実施形態では、携帯電話２と車体コントローラ１ａとを通信ケーブル５及びシリアル通信インタフェース２ｄ，１ｃを介して接続し、シリアル通信を実現させているので送信する期限付パスワードに対する高い機密性を確保できる。
【００６４】
なお、上記実施形態では、キースイッチ１ｈの操作により携帯電話２に対しパスワードデータを要求する要求信号を作製し、携帯電話２では、この要求信号を受信した後にメモリ２ｃからパスワードを読み出すようにしたが、携帯電話２を建設機械１に接続した時に、携帯電話２からパスワードデータを送出するようにしてもよい。
【００６５】
また、上記実施形態では、管理装置３のデータベース３ｃが、所定のパスワードと、携帯電話２の電話番号と、携帯電話２の所有者であるオペレータの作業スケジュールとを関連させて記憶し、車体コントローラ１ａのＣＰＵ３ｂで、入力された期限付パスワードのパスワードと、メモリ１ｆに記憶されているパスワードと一致するかどうか判断し、また、入力された期限付パスワードの期限が、時計１ｅの示す日時を含んでいる有効なものであるかどうか判断し、この２つの判断が満足されたときに、エンジン駆動許可信号を出力する処理をおこなうようになっているが、本発明は、このように構成することに限らない。
【００６６】
例えば、携帯電話２をオペレータが確実に保管し得る状況にあり、当該オペレータあるいは取扱い作業者等による建設機械の稼働をいつでも可能にしたい状況にあっては、管理装置３のデータベース３ｃに所定のパスワードのみを記憶させるようにし、この管理装置３のＣＰＵ３ｂで、携帯電話２から出力される通話信号に応じてデータベース３ｃに記憶されている所定のパスワードを読出し、これをそのまま期限の設定付与をすることなくモデムインタフェース３ａから出力させるようにし、また、車体コントローラ１ａのＣＰＵ１ｄでは、携帯電話２から出力されたパスワードとメモリ１ｆに記憶されているパスワードとが一致するかどうかの判断のみをおこない、この判断が満足されたときに、エンジン駆動許可信号を出力する処理をおこなう構成にしてもよい。
【００６７】
このように構成した場合には、パスワードに期限が付与されていないので、オペレータは所望のときに建設機械を動かすことができる。
【００６８】
また例えば、建設機械の稼働スケジュールをも考慮したい場合には、管理装置３のデータベース３ｃに、所定のパスワードと、携帯電話２の電話番号と、オペレータの作業スケジュールとともに、オペレータが関係している建設機械の稼働スケジュールを記憶させておき、管理装置３のＣＰＵ３ｂで、認識された電話番号に応じてデータベース３ｃに記憶された所定のパスワードを選定するとともに、オペレータの作業スケジュールと、建設機械の稼働スケジュールの双方に基づいて有効期限を決定し、その有効期限に相応する期限付パスワードを設定するようにし、車体コントローラ１ａのＣＰＵ１ｄでは、入力された期限付きパスワードのパスワードとメモリ１ｆに記憶されているパスワードとが一致するかどうか判断し、また、期限付パスワードの期限が、時計１ｅに示す日時を含んでいる有効なものであるかどうか判断し、この２つの判断が共に満足されたときに、エンジン駆動許可信号を出力する処理をおこなうように構成してもよい。
【００６９】
このように構成する場合、管理装置３のＣＰＵ３ｂでは、例えばオペレータの作業スケジュールと、建設機械の稼働スケジュールとが重なる期間を有効期限とする期限付パスワードを設定するようにしてもよい。
【００７０】
また、上記実施形態では、エンジン始動指示手段としてキースイッチ１ｈを設けてあるが、本発明は、このように構成することには限られず、手操作に応じた指示信号の出力が可能なスイッチや押釦等によって構成してもよい。
【００７１】
また、上記実施形態では、携帯型通信機として携帯電話２を設けてあるが、本発明は、これに限られず、例えば携帯型パソコンによって構成してもよい。
【００７２】
また、上記実施形態において、携帯電話２を複数備え、管理装置３のデータベース３ｃに予め設定する全ての携帯電話２の電話番号、パスワード等をそれぞれ関連させて記憶させておき、車体コントローラ１ａのメモリ１ｆにデータベース３ｃに記憶させた複数のパスワードと同じ複数のパスワードを記憶させておき、車体コントローラ１ａのＣＰＵ１ｄが、携帯電話２から入力されたパスワードとメモリ１ｆに記憶されているパスワードとを比較する際、入力されたパスワードがメモリ１ｆに記憶されている複数のパスワード中に含まれているかどうか判断し、含まれていると判断したときに、エンジン駆動許可信号を出力する処理をおこなう構成にしてもよい。このように構成したものでは、例えば１台の建設機械を複数のオペレータの誰でもが必要に応じて操作することができる。
【００７３】
また、上記では携帯電話２と管理装置３とを接続する第１通信手段が公衆回線４から成っているが、本発明は、これに限られず、通信衛星を介在させたものであってもよい。
【００７４】
また、上記では携帯電話２と車体コントローラ１ａとを接続する第２通信手段が通信ケーブル５から成っているが、本発明は、これに限られず、無線通信手段等であってもよい。
【００７５】
なお、管理装置３は、例えば建設機械を所有する会社の建物内部などに設けることもできる。
【００７６】
【発明の効果】
本願の各請求項に係る発明によれば、オペレータや取扱い作業者等の現場関係者によらずに、当該建設機械の駆動を可能にするパスワードの自動的、かつ遠隔操作的な入力処理を実現でき、オペレータ等の手を煩わせたり、混乱を生じさせる事態を招くことがなく、従来に比べて利便性に富むとともに、パスワードの漏洩を防ぐことができ、従来よりも高いセキュリティを確保できる。
【図面の簡単な説明】
【図１】本発明の建設機械の盗難防止装置の一実施形態の構成を示すブロック図である。
【図２】図１に示す一実施形態に備えられる管理装置における処理手順を示すフローチャートである。
【図３】図１に示す一実施形態に備えられる車体コントローラにおける処理手順を示すフローチャートである。
【符号の説明】
１    本体
１ａ  車体コントローラ
１ｂ  キー入力インタフェース
１ｃ  シリアル通信インタフェース（入力部）（出力部）
１ｄ  ＣＰＵ（演算部）
１ｅ  時計
１ｆ  メモリ
１ｇ  エンジン始動制御部
１ｈ  キースイッチ
１ｉ  エンジン
１ｊ  コネクタ
２    携帯電話（携帯型通信機）
２ａ  回線接続部（第１入力部）（第１出力部）
２ｂ  ＣＰＵ（演算部）
２ｃ  メモリ
２ｄ  シリアル通信インタフェース（第２入力部）（第２出力部）
２ｅ  入力操作部
２ｆ  コネクタ
３    管理装置
３ａ  モデムインタフェース（入力部）（出力部）
３ｂ  ＣＰＵ（演算部）
３ｃ  データベース
４    公衆回線（第１通信手段）
５    通信ケーブル（第２通信手段）
【図１】
0004399123.tif 000002
【図２】
0004399123.tif 000003
【図３】
0004399123.tif 000004